(57)【特許請求の範囲】
【請求項１】
回転テーブルと、
前記回転テーブルに支持され、前記テーブルの回転に伴う遠心力によりその中心点に向けて傾動される円筒形のガイドと、
前記ガイド内に上下動自在に挿入された漏斗と、
前記漏斗と前記ガイドの間に配置され、前記漏斗を上方に向けて付勢するための圧縮手段と、
前記漏斗の出口穴に前記圧縮手段の付勢力による前記漏斗の上方への移動時に挿入され、かつ前記ガイドの前記テーブルから離れる方向に傾動することにより前記出口穴から離脱されるテーパピンと、
前記漏斗の下方に配置された電解液未収容電池保持手段と、
前記漏斗に電解液を供給するための電解液供給手段とを
具備したことを特徴とする電解液注液装置。
【発明の詳細な説明】
【０００１】
【産業上の利用分野】
本発明は遠心力を利用して電解液未収容電池に電解液を注液する電解液注液装置に関するものである。
【０００２】
【従来の技術】
例えばニッケル水素二次電池は、ニッケル酸化物を含む正極と水素吸蔵合金を含む負極との間に合成樹脂製のセパレータが介装された積層物からなる電極群をアルカリ電解液と共に容器内に収納した構造を有する。前記アルカリ電解液は目的とする量から外れて前記容器内に収容されると電池性能が劣化するため、高い精度で前記容器内に供給される必要がある。
【０００３】
前記電極群が収納された容器に前記アルカリ電解液を注液するための電解液注液装置としては従来より、図７及び図８に示す下端の出口穴の大きさが極めて小さい漏斗６１と、前記漏斗の下方に配置された電極群収納容器保持手段とを回転テーブルにその半径方向に傾動自在に取付け、かつ前記漏斗にアルカリ電解液を注液するための定量吐出ポンプを設けたものが知られている。このような装置において、前記保持手段に電極群収納容器を収納し、前記定量吐出ポンプにより前記漏斗に目的とする量の電解液を供給した後、前記回転テーブルを回転させると、前記容器及び前記漏斗が前記回転テーブルから離れるようにその中心点に向けて傾動され、前記容器及び前記漏斗に遠心力が働くため、前記漏斗内の電解液が前記容器に移動されて前記容器に電解液が注液される。
【０００４】
しかしながら、前記装置において、前記漏斗の出口穴は前述した図８に示すように極めて小さいものの、常に開口されているため、前記漏斗を電解液が収容された状態でしばらくの間放置した際に、前記漏斗の出口穴から前記電解液が漏れる。遠心力のような物理的な電解液の移動力が加わっていない状態では前記電極群は電解液が浸透し難いため、前記漏斗から漏れた電解液は前記容器内の電極群の上部に溜る場合がある。この状態で前記回転テーブルを回転させると、前記容器内の前記電極群の上部に溜った電解液が外部に飛散するため、前記容器に収容される電解液量が減少して歩留りが低下するという問題点があった。
【０００５】
また、前記漏斗の出口穴の大きさが極めて小さいため、前記漏斗に遠心力が働いた際に前記漏斗内の電解液が前記容器に移動され難く、前記電解液の一部が前記漏斗に残り、前記容器に収容される電解液量が減少して歩留りが低下する恐れがあるという問題点があった。
更に、前記漏斗の出口穴の穿設加工の作業は径が極めて小さいために繁雑で、加工性が劣るため、前記装置にかかるコストが高くなった。
【０００６】
【発明が解決しようとする課題】
本発明は従来の問題を解決するためになされたもので、加工性が優れた漏斗を備え、かつ高い精度で電解液が注液され、歩留まりが向上された電解液注液装置を提供しようとするものである。
【０００７】
【課題を解決するための手段】
本発明は、回転テーブルと、前記回転テーブルに支持され、前記テーブルの回転に伴う遠心力によりその中心点に向けて傾動される円筒形のガイドと、前記ガイド内に上下動自在に挿入された漏斗と、前記漏斗と前記ガイドの間に配置され、前記漏斗を上方に向けて付勢するための圧縮手段と、前記漏斗の出口穴に前記圧縮手段の付勢力による前記漏斗の上方への移動時に挿入され、かつ前記ガイドの前記テーブルから離れる方向に傾動することにより前記出口穴から離脱されるテーパピンと、前記漏斗の下方に配置された電解液未収容電池保持手段と、前記漏斗に電解液を供給するための電解液供給手段とを具備したことを特徴とする電解液注液装置である。
【０００８】
【作用】
本発明の電解液注液装置によれば、遠心力が働いた時に開く弁機構が設けられた漏斗を備えることによって、前記漏斗に遠心力が働いている時期のみにおいて、漏斗に供給された電解液を出口穴から注液することができる。また、前記漏斗は前記弁機構を有し、その出口穴の大きさを従来の弁機構が設けられていない漏斗よりも大きくすることができるため、前記漏斗中の電解液全てを確実に電解液未収容の電池に注液することができる。従って、電解液未収容の電池に電解液を高い精度で注液することができるため、歩留りを向上することができる。
【０００９】
また、前記漏斗の出口穴を従来の漏斗よりも大きくすることができるため、漏斗の加工性を向上することができる。
前記装置によれば、漏斗に供給された電解液は待機中は前記出口穴から外部に漏れ出すことなく前記漏斗内にとどまることができ、かつ前記漏斗に遠心力が働いている時期にのみ前記出口穴から電解液未収容の電池に注液されるため、電解液供給作業を簡単にすることができる。
【００１０】
更に、漏斗が複数個設けられた電解液注液装置を複数個狭い場所に設置して電解液の注液を行う場合、前記複数の漏斗は遠心力が働くと回転テーブルから離れるようにその半径方向に傾動されるため、前記各装置はそれ自身よりも広いスペースを要する。従って、すべての装置の回転テーブルを一度に回転させて前記漏斗に遠心力を働かせることは困難であるため、互いに隣り合う装置の回転テーブルを交互に回転させることになる。このため、前記各装置において漏斗に電解液を収容してから回転テーブルを回転させるまでに掛かる時間が長くなる。従来の弁機構が設けられていない漏斗を用いると、この待機時間に前記漏斗の出口穴から電解液が漏れ出すため、漏斗に電解液が収容されてから一定時間内に前記回転テーブルが回転されなかった場合には供給不良とみなして廃棄処理が行われる。しかしながら、前記供給不良判定を行うと、電解液供給作業が繁雑になるという問題点があった。本発明に係る漏斗を用いると、前記待機時間に前記漏斗の出口穴から電解液が漏れ出さないため、前記供給不良判定が不要になり、電解液供給作業を更に簡単にすることができる。
【００１１】
【実施例】
以下、本発明の実施例を図面を参照して詳細に説明する。
図１は本発明の電解液注液装置を示す概略正面図、図２は本発明の電解液注液装置を示す上面図、図３は図１の弁機構を有する漏斗を示す斜視図、図４は図３の弁機構を有する漏斗に電解液が収容された状態を示す断面図、図５は図１の電解液注液手段に遠心力が働いた状態を示す部分正面図、図６は図５の弁機構を有する漏斗を示す断面図。
【００１２】
図１に示すように、支柱１には、円形の支持台２が載置されている。円板３は前記支持台２に載置されている。図示しないモータは前記支持台２内に配置され、かつその駆動軸には傘歯車が嵌着されている。後述する図２に示すように回転軸４は、その先端付近が前記円板３に軸着され、かつその下端に嵌着された図示しない傘歯車は、前記駆動軸の傘歯車に噛合されている。このような構成において、前記モータを間欠的あるいは連続的に回転することにより前記駆動軸、２つの前記傘歯車及び前記回転軸が間欠的あるいは連続的に回転され、これによって前記円板３が間欠的あるいは連続的に回転される。
【００１３】
図２に示すように第１電解液注液手段５、第２電解液注液手段６、第３電解液注液手段７、第４電解液注液手段８、第５電解液注液手段９、第６電解液注液手段１０、第７電解液注液手段１１、第８電解液注液手段１２、第９電解液注液手段１３、第１０電解液注液手段１４、第１１電解液注液手段１５、第１２電解液注液手段１６は、前記円板３の同心円上に例えば３０度の等角度を隔てて配置されている。前記各電解液注液手段５〜１６は、支持棒１７と、弁機構を有する漏斗１８と、弁機構を有する漏斗を支持するための支持手段１９と、電解液未収容電池保持手段２０とをそれぞれ備える。
【００１４】
図２に示すように前記支持棒１７は、その一端が前記円板３の同一円周上に３０度の等角度を隔てて固定され、かつ他端が前記円板３の外周縁からその半径方向に延出されている。図１に示すように駆動棒２１は、前記支持棒１７の他端に開口された円形貫通穴２２に回転自在に挿入されている。図１に示すように１対のジョイント２３（他方は図示せず）は、その上端が前記駆動棒２１の両端に１対のリベット２４ａ，２４ｂにより連結されている。
【００１５】
図１に示すように前記支持手段１９としての下部支持板２５は、前記１対のジョイント２３（他方は図示せず）の下端に固定されている。上部支持板２６は、前記下部支持板２５に取付けられている。前記上部支持板２６及び前記下部支持板２５には、円形貫通穴がそれぞれ開口されている。
【００１６】
前記弁機構を有する漏斗１８の円筒形ガイド２７は、前記上部支持板２６及び前記下部支持板２５に挿入されている。前記弁機構を有する漏斗１８は図３に示すように、前記円筒形ガイド２７と、漏斗２８と、コイルスプリング２９と、テーパピン３０と、テーパピン固定部材３１とから構成される。前記円筒形ガイド２７は、その下部内面に段部３２が形成されている。前記漏斗２８は、前記ガイド２７に挿入され、上部に大径筒部３３及び下部に小径筒部３４を有する。前記小径筒部３４の中空部は、大径中空部３５ａと出口穴としての小径中空部３５ｂとから形成されている。前記コイルスプリング２９は、前記漏斗２８の前記大径筒部３３の下面と前記ガイド２７の前記段部３２との間に配置され、前記漏斗２８を上方に向けて付勢している。前記テーパピン固定部材３１は、前記ガイド２７の上面に固定されている。前記テーパピン３０は、前記小径筒部３４の前記出口穴３５ｂと同じ径を有し、前記漏斗２８の出口穴３５ｂ内に挿脱されて開閉する作用をなす。前記テーパピン３０は、前記テーパピン固定部材３１の円形貫通穴に２つのフランジ３６ａ，３６ｂ（３６ｂは後述する図４，図６に図示）により固定されている。
【００１７】
前記電解液未収容電池保持手段２０は、図１に示すように前記下部固定板２５の下端に取付けられた円筒形の支持軸ガイド３７と、上端が前記支持軸ガイド３７に挿入された上下動自在の支持軸３８と、前記支持軸３８の下端にフランジにより固定された矩形状のフレーム３９と、前記フレーム３９の下端に取り付けられ、かつ上部が２本の軸４０ａ，４０ｂを支点にして矢印方向に傾動自在になっている電池収納部材保持治具４１と、前記下部支持板２５の前記支持台２側の側面及び前記フレーム３９の支持台側の面にそれぞれ取付けられた２つの支持ピン４２ａ，４２ｂと、前記２つの支持ピン４２ａ，４２ｂ間に取着され、前記支持棒１７を上方に向けて付勢するコイルスプリング４３と、上部が前記フレーム３９に挿入されると共に下端が前記電池収納部材保持治具４１に保持され、円形長穴を有する角形の電池収納部材４４とを備える。なお、衝撃吸収のための突起部４５は、前記支持台２の側面に取付けられ、かつ前記支持ピン４２ｂと当接している。
【００１８】
電解液未収容電池供給手段としての駆動ローラ（図示せず）が取付けられた無端ベルト４６は、図２に示すように例えば前記電解液注液手段５の下方に配置され、かつ矢印に示す前記円板３に向かう方向に回動されている。図１に示すように電解液収容済み電池回収手段としての駆動ローラ４７が取付けられた無端ベルト４８は、例えば前記第１０電解液注液手段１４の下方に配置され、かつ図２に矢印で示す前記円板３から離れる方向に回動される。
【００１９】
第１電解液供給手段４９、第２電解液供給手段５０は、図２に示すように例えば前記電解液注液手段７、前記電解液注液手段８の後方にそれぞれ配置されている。前記弁機構を有する漏斗１８の漏斗２８への電解液供給は精度を向上するために、前記各電解液供給手段４９，５０を用いて２回に分けて行われる。前記各電解液供給手段４９，５０は、図１に示すように電解液貯蔵タンク５１と、下端が前記電解液貯蔵タンク５１に侵漬された電解液吸入管５２と、先端にノズルが接続された注液管５３と、前記吸入管５２と前記注液管５３との間に配置された定量吐出ポンプ５４とから構成される。このような構成によれば、前記ポンプ５４を駆動すると前記貯蔵タンク５１内の所定量の電解液が前記吸入管５２に吸い上げられ、前記注液管５３に送られて前記ノズルから前記漏斗２８に供給される。
【００２０】
次に、前述した電解液注液装置の動作を前述した図１〜図３及び図４〜図６を参照して説明する。
まず、容器内にニッケル正極と水素吸蔵合金負極との間に合成樹脂製のセパレータを介装して渦巻状に捲回された電極群が収納された構造を有する電解液未供給の円筒形ニッケル水素二次電池Ｂを用意し、前記二次電池Ｂを前記収納部材４４に収納する。図示しない駆動源の電源をオンにし、前述した図２に示すように前記電池供給手段の前記無端ベルト４６により前記収納部材４４を前記電解液注液手段５の下方に搬送する。搬送された前記収納部材４４は上部が前記各軸４０ａ，４０ｂを支点にして矢印方向に開かれた前記保持治具４１の下方から挿入されることにより上部が前記フレーム３９に挿入され、かつ下部が前記保持治具４１に固定される。
【００２１】
次いで、前記円板３を半時計回りに３０°回転すると、空の前記電解液注液手段１６が前記無端ベルト４６の上方に移動され、かつ前記無端ベルト４６により前記収納部材４４が前記電解液注液手段１６の下方に搬送される。前記収納部材４４は、上部が前記各軸４０ａ，４０ｂを支点にして矢印方向に開かれた前記保持治具４１の下方から挿入されることにより上部が前記フレーム３９に挿入され、かつ下部が前記保持治具４１に固定される。
【００２２】
次いで、前記円板３を半時計回りに３０°回転すると、前記電解液注液手段５が前記電解液供給手段４９のノズルの下方に移動され、図４に示すように前記弁機構を有する漏斗１８の前記漏斗２８にアルカリ電解液が供給される。この時、前記漏斗２８は前記コイルスプリング２９により上方に付勢されているため、前記テーパピン３０の下端は前記漏斗２８の小径筒部３４の出口穴３５ｂ内に挿入されてその出口穴３５ｂを閉塞している。このため、前記電解液は前記出口穴３５ｂを通って外部に漏れ出すことなく前記漏斗２８内に留まる。また、前記円板３の回転に伴って、空の前記電解液注液手段１５が前記無端ベルト４６の上方に移動され、かつ前記無端ベルト４６により前記収納部材４４が前記電解液注液手段１５の下方に搬送される。前記収納部材４４は、上部が前記各軸４０ａ，４０ｂを支点にして矢印方向に開かれた前記保持治具４１の下方から挿入されることにより上部が前記フレーム３９に挿入され、かつ下部が前記保持治具４１に固定される。
【００２３】
次いで、前記円板３を半時計回りに３０°回転すると、前記電解液注液手段５が前記電解液供給手段５０のノズルの下方に移動され、前記弁機構を有する漏斗１８の前記漏斗２８にアルカリ電解液が前記出口穴３５ｂを通って外部に漏れ出すことなく収容される。これに伴って空の前記電解液注液手段１４が前記無端ベルト４６の上方に移動され、前記無端ベルト４６により前記収納部材４４が前記電解液注液手段１５の下方に搬送される。前記収納部材４４は、上部が前記各軸４０ａ，４０ｂを支点にして矢印方向に開かれた前記保持治具４１の下方から挿入されることにより上部が前記フレーム３９に挿入され、かつ下部が前記保持治具４１に固定される。
【００２４】
このようにして前記各電解液注液手段５〜１６の前記弁機構を有する漏斗１８の下方に前記収納部材４４を配置し、前記弁機構を有する漏斗１８の前記漏斗２８内に前記各電解液供給手段４９，５０により電解液を収容した後、前記円板３を半時計回りに連続的に回転させる。回転速度が高くなるにつれて前記各電解液注液手段５〜１６は前記円板３から離れるようにその半径方向に傾動されて図５に示すようにほぼ横置きになり、これに伴って前記各電解液注液手段５〜１６の漏斗２８に遠心力が加わり図６に示すように前記漏斗２８が前記コイルスプリング２９の付勢力に抗して前記ガイド２７の内面に添って下降される。このような漏斗２８の下降により前記テーパピン３０の先端が前記漏斗２８の前記小径筒部３４の前記出口穴３５ｂから外れて前記出口穴３５ｂが開放され、前記漏斗２８内の電解液全てが前記出口穴３５ｂを通って前記二次電池Ｂに移動されることにより前記二次電池Ｂに高い精度で電解液が注液される。
【００２５】
次いで、前記円板３の回転速度を徐々に下げると、前記各電解液注液手段５〜１６に働く遠心力が次第に小さくなるため、前記コイルスプリング２９の付勢力が前記遠心力よりも大きくなり、前記漏斗２８が上方に付勢されて前記ガイド２７の内面に添って上昇される。これにより前述した図３に示すように前記小径筒部３４の前記出口穴３５ｂに前記テーパピン３０の先端が挿入されて前記出口穴３５ｂが閉塞される。これに伴って前記各電解液注液手段５〜１６は前述した図１に示すように前記支持ピン４２ｂが前記支持台２の前記突起部４５に当接されて前記円板３の前記支持棒１７に懸架され、かつ前記電解液注液手段１４が前記電池回収手段としての前記無端ベルト４８の上方に配置された状態に戻る。
【００２６】
次いで、前記電解液注液手段１４の前記保持治具４１の上部を前記各軸４０ａ，４０ｂを支点にして矢印方向に開いて電解液供給済みの二次電池Ｂが収納された収納部材４４を前記フレーム３９の下方から抜き取り、前記無端ベルト４８上に供給し、前記無端ベルト４８によって回収する。この後、前記円板３を半時計回りに３０°ずつ回転させて、前記各電解液注液手段５〜１３，１５，１６から前記収納部材４４を前記無端ベルト４８により回収する。
【００２７】
このような構成の電解液注液装置によれば、前記漏斗２８内に供給された電解液は待機中に前記出口穴３５ｂを通って外部に漏れ出すことなく前記漏斗２８内にとどまることができ、かつ前記漏斗２８に遠心力が働いた時のみ前記漏斗２８内に供給された電解液を前記漏斗２８の前記出口穴３５ｂから前記二次電池Ｂに注液することができる。
【００２８】
【発明の効果】
以上詳述したように本発明の電解液注液装置によれば、電解液未収容の電池に電解液を高い精度で注液することができ、歩留りを向上することができ、かつ漏斗の加工性を向上することができ、更に電解液供給作業を簡単にできるという顕著な効果を奏する。
【図面の簡単な説明】
【図１】本発明の電解液注液装置を示す概略正面図。
【図２】本発明の電解液注液装置を示す上面図。
【図３】図１の斜視図。
【図４】図３の弁機構を有する漏斗に電解液が収容された状態を示す断面図。
【図５】図１の電解液注液手段に遠心力が働いた状態を示す部分正面図。
【図６】図５の弁機構を有する漏斗を示す断面図。
【図７】従来の漏斗を示す斜視図。
【図８】図７の漏斗の断面図。
【符号の説明】
１…支柱、２…支持台、３…円板、５〜１６…電解液注液手段、１８…弁機構を有する漏斗、１９…支持手段、２０…電解液未収容電池保持手段、２７…ガイド、２８…漏斗、２９…圧縮手段、３０…テーパピン、３５ｂ…出口穴。
【図１】
0003587552.tif 000002
【図２】
0003587552.tif 000003
【図３】
0003587552.tif 000004
【図４】
0003587552.tif 000005
【図５】
0003587552.tif 000006
【図６】
0003587552.tif 000007
【図７】
0003587552.tif 000008
【図８】
0003587552.tif 000009